【事件の表示】
　特願２０１４−５０５４０７「サブギガヘルツ帯域におけるワイヤレス通信のレンジ拡張のためのシステムおよび方法」拒絶査定不服審判事件〔平成２４年１０月１８日国際公開、ＷＯ２０１２／１４２６１２、平成２６年　５月　１日国内公表、特表２０１４−５１１０９４〕について、次のとおり審決する。
【結　論】
　本件審判の請求は、成り立たない。
【理　由】
第１　手続の経緯 
　本願は、２０１２年４月１６日（パリ条約による優先権主張外国庁受理２０１１年４月１５日、米国、２０１２年４月１３日、米国）を国際出願日とする出願であって、原審において平成２６年６月１８日付けで拒絶理由が通知され、同年９月３０日付けで手続補正されたが、同年１１月２０日付けで拒絶査定がなされ、これに対し、平成２７年３月２７日に拒絶査定不服の審判が請求されるとともに、同日付けで手続補正されたものである。
第２　補正却下の決定 
［補正却下の決定の結論］
　平成２７年３月２７日付けの手続補正を却下する。 
［理由］
１．本願発明と補正後の発明 
　上記手続補正（以下、「本件補正」という。）は、本件補正前の平成２６年９月３０日付けで手続補正された特許請求の範囲の請求項１に記載された 
　「ワイヤレス通信のための方法であって、コンピュータが、
通信チャネルの特性を識別する情報を判断するステップと、
前記判断された情報に基づいて、トレーニングシーケンスを反復する回数を修正するステップと、
前記修正された回数だけ反復された前記トレーニングシーケンスおよびデータ部分を含む物理パケットを送信するステップとを含む方法。」
　
という発明（以下、「本願発明」という。）を、 
　「ワイヤレス通信のための方法であって、コンピュータが、
通信チャネルの特性を識別する情報を判断するステップと、
前記判断された情報に基づいて、トレーニングシーケンスを反復する回数を修正するステップと、
前記修正された回数だけ反復された前記トレーニングシーケンスおよびデータ部分を含む物理パケットを送信するステップとを含み、
前記トレーニングシーケンスはＳＴＦである、
方法。」
という発明（以下、「補正後の発明」という。）に変更することを含むものである。 
　
２．新規事項の有無、シフト補正、補正の目的要件について 
　本件補正は、願書に最初に添付した明細書、特許請求の範囲又は図面に記載した事項の範囲内において、補正前の特許請求の範囲の請求項１に記載された、「トレーニングシーケンス」に関し、「前記トレーニングシーケンスはＳＴＦである」と限定して、特許請求の範囲を減縮するものであるから、特許法第１７条の２第３項及び第４項の規定に適合するとともに、特許法第１７条の２第５項第２号に掲げる特許請求の範囲の減縮を目的とするものに該当する。
　
３．独立特許要件について 
　上記補正は特許請求の範囲の減縮を目的とするものであるから、上記補正後の発明が特許出願の際独立して特許を受けることができるものであるのかどうか（特許法第１７条の２第６項で準用する同法第１２６条第７項の規定に適合するかどうか）について以下に検討する。 
　
（１）補正後の発明 
　上記「１．本願発明と補正後の発明」の項で補正後の発明として認定したとおりである。 
　
（２）引用発明
　原審の拒絶理由に引用された、本願の優先権主張の日前に日本国内において頒布された刊行物である特開２００７−３０６４７４号公報（平成１９年１１月２２日公開、以下、「引用例」という。）には、図面とともに以下の事項が記載されている。 
イ．「【技術分野】
【０００１】
　本発明は、IEEE 802.11aなどのトレーニングシーケンスが非常に短い無線通信方式に関する。」（４頁）
ロ．「【００２２】
　１．実施の形態１
　本発明に係る実施の形態としての無線通信機１について、図面を参照しながら説明する。
　無線通信機１は、ＩＥＥＥ８０２．１１ａの規格に従って、他の無線通信機との間で、無線による通信を行う。
【００２３】
　無線通信機１は、図１に示すように、無線通信機１全体の制御を行うホスト側ＣＰＵ１０、ベースバンド部１１、送信データを無線周波数に変調又は受信データを無線周波数から抽出するＲＦ部１２、アンテナ１３及び図示していないその他のユニットから構成されている。ベースバンド部１１は、ＭＡＣ部１４及びＰＨＹ部１００から構成されている。
　ＰＨＹ部１００は、図２に示すように、制御部１０１、トレーニングシーケンス生成部１０２、ヘッダ生成部１０３、データ生成部１０４、セレクタ部１０５及びＤＡコンバータ部１０６から構成されている。
【００２４】
　なお、他の無線通信機も、無線通信機１と同様の構成を有している。
　（１）制御部１０１
　フレーム送信時において、まず制御部１０１は、トレーニングシーケンス生成部１０２に対してレーニングシーケンス生成命令を出力する。その後、制御部１０１は、ヘッダ生成部１０３及びデータ生成部１０４に対しヘッダ生成命令及びデータ生成命令を出力する。
【００２５】
　（２）トレーニングシーケンス生成部１０２
　トレーニングシーケンス生成部１０２は、図３に示すように、繰返回数カウンタ３０１、ＲＯＭパターンテーブル３０２、繰返回数決定部３０３、繰返回数リミットレジスタ３０４、比較判断部３０５、出力マスク部３０６及びＲＯＭパターンポインタ用カウンタ３０７から構成されている。
【００２６】
　（２−１）ＲＯＭパターンテーブル３０２
　ＲＯＭパターンテーブル３０２は、予め定められた複数のビットから構成されるトレーニングシンボル（ショート・トレーニングシンボル）を記憶している。各ビットの位置は、ポインタとして指定される。
　（２−２）ＲＯＭパターンポインタ用カウンタ３０７
　ＲＯＭパターンポインタ用カウンタ３０７は、制御部１０１からトレーニングシーケンス生成命令を受け取る。トレーニングシーケンス生成命令を受け取ると、内部に保持するカウンタを初期化する。
【００２７】
　（ｉ）次に、ＲＯＭパターンポインタ用カウンタ３０７は、（ａ）保持するカウンタに「１」を加算し、（ｂ）当該カウンタの値をポインタとしてＲＯＭパターンテーブル３０２へ出力する。
　以降、カウンタへの「１」の加算（ａ）と、ポインタのＲＯＭパターンテーブル３０２への出力（ｂ）とを、前記トレーニングシンボルを構成するビット数分だけ、繰り返す。
【００２８】
　（ii）前記トレーニングシンボルを構成するビット数分だけ、前記繰返が終了すると、ＲＯＭパターンポインタ用カウンタ３０７は、（ｃ）繰返回数カウンタ３０１に対して、インクリメント指示を出力する。
　以降、ＲＯＭパターンポインタ用カウンタ３０７は、上記の（ｉ）及び（ii）を繰り返す。
【００２９】
　（２−３）繰返回数カウンタ３０１
　繰返回数カウンタ３０１は、制御部１０１からトレーニングシーケンス生成命令を受け取り、ＲＯＭパターンポインタ用カウンタ３０７からインクリメント指示を受け取る。トレーニングシーケンス生成命令は、カウンタ初期化の指示を兼ねている。
　制御部１０１からトレーニングシーケンス生成命令つまりカウンタ初期化の指示を受け取ると、繰返回数カウンタ３０１は、保持しているカウンタの初期化を行う。つまり、カウンタの値を「０」に設定する。また、ＲＯＭパターンポインタ用カウンタ３０７からインクリメント指示を受け取ると、保持するカウンタのインリクメントをする。つまり、保持するカウンタに「１」を加算する。繰返回数カウンタ３０１は、保持しているカウンタの値を、比較判断部３０５へ出力する。
【００３０】
　（２−４）繰返回数決定部３０３
　繰返回数決定部３０３は、制御部１０１から伝送レート、レングス長その他の情報を受け取り、受け取った伝送レート、レングス長その他の情報に基づいて、トレーニングシンボルを出力する最大の回数を示す最大繰返回数を決定し、決定した最大繰返回数を繰返回数リミットレジスタ３０４に書き込む。
【００３１】
　ここで、IEEE 802.11aで定められている通常の最大繰返回数は、「１０」である。ここでは、「１０」より大きい値、例えば、「１５」を最大繰返回数として決定する。
　（２−５）繰返回数リミットレジスタ３０４
　繰返回数リミットレジスタ３０４は、トレーニングシンボルを出力する最大の回数を示す最大繰返回数を記憶する。
【００３２】
　（２−６）比較判断部３０５
　比較判断部３０５は、繰返回数リミットレジスタ３０４に格納されている最大繰返回数と、繰返回数カウンタ３０１から受け取ったカウンタの値とを比較し、カウンタの値が最大繰返回数を超えた場合に、出力マスク部３０６に対して、ＲＯＭパターンの出力を禁止するマスク指示を出力する。カウンタの値が最大繰返回数を超えない場合に、出力マスク部３０６に対して、ＲＯＭパターンの出力を許可するように許可指示を出力する。
【００３３】
　（２−７）出力マスク部３０６
　出力マスク部３０６は、比較判断部３０５からマスク指示又は許可指示を受け取る。マスク指示を受け取った場合には、ＲＯＭパターンテーブル３０２からのＲＯＭパターンの出力をマスクする。許可指示を受け取った場合には、ＲＯＭパターンテーブル３０２からのＲＯＭパターンをセレクタ部１０５に対して出力する。
【００３４】
　（２）ヘッダ生成部１０３、データ生成部１０４、セレクタ部１０５及びＤＡコンバータ部１０６
　ヘッダ生成部１０３及びデータ生成部１０４は、制御部１０１からヘッダ生成命令及びデータ生成命令を受け取り、制御部１０１の制御の元に、ヘッダ及びデータを生成し、生成したヘッダ及びデータをセレクタ部１０５へ出力する。
【００３５】
　セレクタ部１０５は、制御部１０１の制御の元に、トレーニングシーケンス生成部１０２、ヘッダ生成部１０３及びデータ生成部１０４から出力されるトレーニングシーケンス、ヘッダ及びデータを選択し、ＤＡコンバータ部１０６へ出力する。こうして、１つの通信フレームが作成される。
　ＤＡコンバータ部１０６は、作成された通信フレームに対して、デジタルからアナログへのＤＡ変換を施して、アナログ信号を生成する。
【００３６】
　生成されたアナログ信号は、ＲＦ部１２及びアンテナ１３を介して、送信される。
　（３）生成される通信フレームの構造の一例
　生成される通信フレームの構造の一例を図４（ａ）及び（ｂ）に示す。
　図４（ａ）に示す通信フレーム４０１は、繰返回数リミットレジスタ３０４に記憶されている最大繰返回数が、「１０」である場合のものであり、図４（ｂ）に示す通信フレーム４５１は、繰返回数リミットレジスタ３０４に記憶されている最大繰返回数が、「１５」である場合のものである。
【００３７】
　通信フレーム４０１は、プリアンブル信号４０２、ＲＡＴＥ等の信号４０３及びデータ４０４から構成される。プリアンブル信号４０２は、ショート・シンボルのグループ４１１とロング・シンボルのグループ４１２からなり、ショート・シンボルのグループ４１１は、１０個のショート・シンボル４２１、４２２、・・・、４３０を含む。これらのショート・シンボルが、上記のトレーニングシンボルである。プリアンブル信号４０２が、全体として、上記のトレーニングシーケンスである。
【００３８】
　通信フレーム４５１は、プリアンブル信号４５２、ＲＡＴＥ等の信号４５３及びデータ４５４から構成される。プリアンブル信号４５２は、ショート・シンボルのグループ４６１とロング・シンボルのグループ４６２からなり、ショート・シンボルのグループ４６１は、１５個のショート・シンボル４７１、４７２、・・・、４８５を含む。これらのショート・シンボルが、上記のトレーニングシンボルである。プリアンブル信号４５２が、全体として、上記のトレーニングシーケンスである。
【００３９】
　（４）まとめ
　以上説明したように、無線通信機１は、通常より長いトレーニングシーケンスを付加した通信フレームを出力することができる。この通信フレームを受信する無線通信機は、AGCや同期確立やAFCの処理を行うにあたり十分な長さのトレーニングシーケンスを割り当てる事ができ、高性能な通信を確立する事ができる。」（７〜１０頁）
ハ．「【００６５】
　・・・
　８．実施の形態２
　本発明に係る別の実施の形態としての無線通信機１ｇ（図示していない）について、図面を参照しながら説明する。
【００６６】
　無線通信機１ｇは、無線通信機１と同様に、ＩＥＥＥ８０２．１１ａの規格に従って、他の無線通信機との間で、無線による通信を行う。
　無線通信機１ｇは、無線通信機１と同様に、ホスト側ＣＰＵ１０、ベースバンド部１１、ＲＦ部１２、アンテナ１３及びその他のユニットから構成され、ベースバンド部１１は、ＭＡＣ部１４及びＰＨＹ部１００ａから構成されている。
【００６７】
　ＰＨＹ部１００ａは、図５に示すように、制御部１０１、トレーニングシーケンス生成部１０２、ヘッダ生成部１０３、データ生成部１０４、セレクタ部１０５、ＤＡコンバータ部１０６、ＡＤコンバータ部２０１、復調部２０２及び相手端末情報記憶部２０３から構成されている。
　ベースバンド部１１が、ＰＨＹ部１００に代えて、ＰＨＹ部１００ａを備えており、ＰＨＹ部１００ａは、ＰＨＹ部１００の構成要素に加えて、ＡＤコンバータ部２０１、復調部２０２及び相手端末情報記憶部２０３を備えている点において、無線通信機１ｇは、無線通信機１と異なる。
【００６８】
　ＡＤコンバータ部２０１は、アンテナ１３、ＲＦ部１２を経て、受信した受信信号を、アナログ信号からデジタル信号にＡＤ変換し、次に、復調部２０２は、デジタル信号を復調して、デジタル情報を生成する。生成されたデジタル情報は、通信相手の無線通信機の信号検出方式情報を含む。復調部２０２は、受け取った信号検出方式情報を、相手端末情報記憶部２０３に書き込む。無線通信機１ｇは、通信フレームの送信を行う前に、この信号検出方式情報を、通信相手の無線通信機の端末情報として受け取っておく。
【００６９】
　実施の形態１の無線通信機１とは、制御部１０１からトレーニングシーケンス生成命令が出されたときの、繰返回数決定部３０３により決定される値が以下のように異なる。
　つまり、相手端末情報記憶部２０３に記憶されている通信相手の無線通信機の信号検出方式情報を読み出し、読み出した信号検出方式情報が、通信相手の無線通信機がパターンマッチングによる信号検出方式を採用していないことを示す場合は、通常の最大繰返回数が決定され、パターンマッチングによる信号検出方式を採用していることを示す場合は通常の最大繰返回数より大きい事前に定められた任意の大きさの最大繰返回数を決定する。
【００７０】
　具体的には、制御部１０１は、相手端末情報記憶部２０３から信号検出方式情報を読み出し、読み出した信号検出方式情報を繰返回数決定部３０３へ出力する。繰返回数決定部３０３は、制御部１０１から、信号検出方式情報を受け取り、受け取った信号検出方式情報が、通信相手の無線通信機がパターンマッチングによる信号検出方式を採用していることを示す場合には、「１０」より大きい値、例えば、「１５」を最大繰返回数として決定し、受け取った信号検出方式情報が、通信相手の無線通信機がパターンマッチングによる信号検出方式を採用していないことを示す場合には、「１０」を最大繰返回数として決定する。ここで、「１０」は、IEEE 802.11aで定められている値である。」（１３〜１４頁）
ニ．「【００８０】
　変形例としての無線通信機１ｊは、実施の形態２の無線通信機１ｇと同様の構成を有している。ここでは、実施の形態２の無線通信機１ｇとの相違点を中心として、以下に説明する。
　実施の形態２の無線通信機１ｇとは、以下の点において異なる。つまり、アンテナ１３、ＲＦ部１２を経て、受信し、ＡＤコンバータ部２０１によりＡＤ変換され、復調部２０２により復調されて生成されたデジタル情報は、通信相手の無線通信機の統計情報を含む。この統計情報は、無線通信機１ｊが通信相手の無線通信機に対して通信フレームを送信した場合に、当該通信相手の無線通信機により集計されたものであり、正常に受信し復調した通信フレームの数の通信フレームの全数に対する割合を示す合否結果である。統計情報は、相手端末情報記憶部２０３に書き込まれる。このように、通信相手の無線通信機の統計情報を、相手端末情報として、事前に受け取っておく。
【００８１】
　また、実施の形態２の無線通信機１ｇとは、制御部１０１からトレーニングシーケンス生成命令が出されたときの、繰返回数決定部３０３により決定される値が以下のように異なる。
　つまり、相手端末情報記憶部２０３に記憶されている通信相手の無線通信機により集計された統計情報を確認し、前記統計情報により示される値が特定のレベルより大きい場合は、通常の最大繰返回数が決定され、前記統計情報により示される値が特定のレベルより小さい又は等しい場合は、通常の最大繰返回数より大きい事前に定められた任意の大きさの最大繰返回数を決定する。
【００８２】
　具体的には、制御部１０１は、相手端末情報記憶部２０３から統計情報を読み出し、読み出した統計情報を繰返回数決定部３０３へ出力する。繰返回数決定部３０３は、制御部１０１から、統計情報を受け取り、受け取った統計情報により示される値が、特定のレベルより小さい又は等しいことを示す場合には、「１０」より大きい値、例えば、「１５」を最大繰返回数として決定し、受け取った統計情報により示される値が、特定のレベルより大きい場合には、「１０」を最大繰返回数として決定する。ここで、「１０」は、IEEE 802.11aで定められている値である。
【００８３】
　この無線通信機１ｊから、特定のレベルより小さい値を示す統計情報を有する無線通信機に送信フレームを送る時のみ通常より長いトレーニングシーケンスが付加されており、実施の形態１の無線通信機１と比べて必要以上に冗長なトレーニングシーケンスを付加することによる通信効率の低下を防ぐ事ができ、より高い通信確立を実現する事ができる。
　１２．実施の形態２の変形例（４）
　実施の形態２の変形例としての無線通信機１ｋ（図示していない）について説明する。
【００８４】
　変形例としての無線通信機１ｋは、実施の形態２の無線通信機１ｇと同様の構成を有している。ここでは、実施の形態２の無線通信機１ｇとの相違点を中心として、以下に説明する。
　実施の形態２の無線通信機１ｇとは、以下の点において異なる。つまり、アンテナ１３、ＲＦ部１２を経て、受信し、ＡＤコンバータ部２０１によりＡＤ変換され、復調部２０２により復調されて生成されたデジタル情報は、通信相手の無線通信機のトレーニングシーケンスの長さを含む。このトレーニングシーケンスの長さは、無線通信機１ｋが通信相手の無線通信機に対して通信フレームを送信し、通信相手の無線通信機が当該通信フレームを受信した際に、当該通信相手の無線通信機において必要となったトレーニングシーケンスの長さである。この通信相手の無線通信機のトレーニングシーケンスの長さは、相手端末情報記憶部２０３に書き込まれる。このように、通信相手の無線通信機のトレーニングシーケンスの長さを、相手端末情報として、事前に受け取っておく。
【００８５】
　また、実施の形態２の無線通信機１ｇとは、制御部１０１からトレーニングシーケンス生成命令が出されたときの、繰返回数決定部３０３により決定される値が以下のように異なる。
　つまり、相手端末情報記憶部２０３に記憶されている通信相手の無線通信機のトレーニングシーケンスの長さを確認し、当該トレーニングシーケンスの長さが特定の長さより短い又は等しい場合は、通常の最大繰返回数が決定され、当該トレーニングシーケンスの長さが特定の長さより長い場合は、通常の最大繰返回数より大きい事前に定められた任意の大きさの最大繰返回数を決定する。
【００８６】
　具体的には、制御部１０１は、相手端末情報記憶部２０３から通信相手の無線通信機のトレーニングシーケンスの長さを読み出し、読み出したトレーニングシーケンスの長さを繰返回数決定部３０３へ出力する。繰返回数決定部３０３は、制御部１０１から、トレーニングシーケンスの長さを受け取り、受け取ったトレーニングシーケンスの長さが、特定の長さより長い場合には、「１０」より大きい値、例えば、「１５」を最大繰返回数として決定し、受け取ったトレーニングシーケンスの長さ値が、特定のレベルより短い又は等しい場合には、「１０」を最大繰返回数として決定する。ここで、「１０」は、IEEE 802.11aで定められている値である。
【００８７】
　この無線通信機１ｋからは受信時に必要になったトレーニングシーケンスの長さが特定の長さより長い場合にのみ通常より長いトレーニングシーケンスが付加されており、実施の形態１の無線通信機１と比べて必要以上に冗長なトレーニングシーケンスを付加することによる通信効率の低下を防ぐ事ができ、より高い通信確立を実現する事ができる。
　１３．実施の形態３
　本発明に係る別の実施の形態としての無線通信機１ｍ（図示していない）について、図面を参照しながら説明する。
【００８８】
　無線通信機１ｍは、無線通信機１ｇと同様に、ＩＥＥＥ８０２．１１ａの規格に従って、他の無線通信機との間で、無線による通信を行う。
　無線通信機１ｍは、無線通信機１ｇと同様に、ホスト側ＣＰＵ１０、ベースバンド部１１、ＲＦ部１２、アンテナ１３及びその他のユニットから構成され、ベースバンド部１１は、ＭＡＣ部１４及びＰＨＹ部１００ｂから構成されている。
【００８９】
　ＰＨＹ部１００ｂは、図６に示すように、制御部１０１、トレーニングシーケンス生成部１０２、ヘッダ生成部１０３、データ生成部１０４、セレクタ部１０５、ＤＡコンバータ部１０６、ＡＤコンバータ部２０１、復調部２０２、電力算出部２０４及び通信環境情報記憶部２０５から構成されている。
　ベースバンド部１１が、ＰＨＹ部１００ａに代えて、ＰＨＹ部１００ｂを備えており、ＰＨＹ部１００ｂは、ＰＨＹ部１００ａの相手端末情報記憶部２０３に代えて、電力算出部２０４及び通信環境情報記憶部２０５を備えている点において、無線通信機１ｍは、無線通信機１ｇと異なる。
【００９０】
　上述した実施の形態２では、無線通信機１ｇから発信されたフレームを通信相手の無線通信機が受信しその時に得られる相手端末情報により、無線通信機１ｇがフレーム送信時のトレーニングシーケンス長を決定するのであるが、実施の形態３では、通信相手の無線通信機から発信されたフレームを無線通信機１ｍが受信しその時に得られる通信環境情報を元に、トレーニングシーケンス長を決定する。
【００９１】
　具体的には、ＡＤコンバータ部２０１は、アンテナ１３、ＲＦ部１２を経て、受信した受信信号を、アナログ信号からデジタル信号にＡＤ変換し、次に、復調部２０２は、デジタル信号を復調して、復調情報を生成する。電力算出部２０４は、生成された復調情報を用いて、受信電力を算出し、算出した受信電力を通信環境情報として通信環境情報記憶部２０５へ書き込む。
【００９２】
　また、実施の形態２の無線通信機１ｇとは、制御部１０１からトレーニングシーケンス生成命令が出されたときの、繰返回数決定部３０３により決定される値が以下のように異なる。
　通信環境情報記憶部２０５に記憶されている無線通信機１ｍにおける受信電力を確認し、その値が特定のレベルより小さい又は等しい場合は通常の最大繰返回数が決定され、その値が特定のレベルより大きい場合は通常の最大繰返回数より大きい事前に定められた任意の大きさの最大繰返回数を決定する。
【００９３】
　具体的には、制御部１０１は、通信環境情報記憶部２０５から通信環境情報を読み出し、読み出した通信環境情報を繰返回数決定部３０３へ出力する。繰返回数決定部３０３は、制御部１０１から、通信環境情報を受け取り、受け取った通信環境情報により示される受信電力が、特定のレベルより大きい場合には、「１０」より大きい値、例えば、「１５」を最大繰返回数として決定し、受け取った通信環境情報により示される受信電力が、特定のレベルより小さい又は等しい場合には、「１０」を最大繰返回数として決定する。ここで、「１０」は、IEEE 802.11aで定められている値である。
【００９４】
　この無線通信機１ｍからは受信電力が特定のレベルより大きい信号を発する通信相手の無線通信機に送信フレームが発信される時のみ通常より長いトレーニングシーケンスが付加されており、実施の形態１の無線通信機１と比べて必要以上に冗長なトレーニングシーケンスを付加することによる通信効率の低下を防ぐ事ができ、より高い通信確立を実現する事ができる。
【００９５】
　１４．実施の形態３の変形例（１）
　実施の形態３の変形例としての無線通信機１ｎ（図示していない）について説明する。
　変形例としての無線通信機１ｎは、実施の形態３の無線通信機１ｍと同様の構成を有している。ここでは、実施の形態３の無線通信機１ｍとの相違点を中心として、以下に説明する。
【００９６】
　無線通信機１ｎのベースバンド部１１が、ＰＨＹ部１００ｂに代えて、図７に示すように、ＰＨＹ部１００ｃを備えており、ＰＨＹ部１００ｃは、ＰＨＹ部１００ｂの電力算出部２０４の代わりに、統計情報算出部２０６を備えている点において、無線通信機１ｎは、無線通信機１ｍと異なる。
　復調部２０２は、生成した復調情報を統計情報算出部２０６へ出力し、統計情報算出部２０６は、復調部２０２から生成された復調情報を受け取り、受け取った復調情報を用いて、通信相手の無線通信機から発信されたフレームを無線通信機１ｎが受信する場合において、通信相手の無線通信機から正常に受信し復調した通信フレームの数の通信フレームの全数に対する割合を示す通信合否の統計情報を算出する。次に、算出した統計情報を、通信環境情報として、通信環境情報記憶部２０５へ書き込む。
【００９７】
　また、実施の形態３の無線通信機１ｍとは、制御部１０１からトレーニングシーケンス生成命令が出されたときの、繰返回数決定部３０３により決定される値が以下のように異なる。
　通信環境情報記憶部２０５に記憶されている無線通信機１ｎで受信された通信の受信合否の統計情報を確認し、その値が特定のレベルより大きい場合は通常の最大繰返回数が決定され、その値が特定のレベルより小さい又は等しい場合は通常の最大繰返回数より大きい事前に定められた任意の大きさの最大繰返回数を決定する。
【００９８】
　具体的には、制御部１０１は、通信環境情報記憶部２０５から通信環境情報としての受信合否の統計情報を読み出し、読み出した統計情報を繰返回数決定部３０３へ出力する。繰返回数決定部３０３は、制御部１０１から、統計情報を受け取り、受け取った統計情報により示される値が、特定のレベルより小さい又は等しい場合には、「１０」より大きい値、例えば、「１５」を最大繰返回数として決定し、受け取った統計情報により示される値が、特定のレベルより大きい場合には、「１０」を最大繰返回数として決定する。ここで、「１０」は、IEEE 802.11aで定められている値である。
【００９９】
　この無線通信機１ｎからは、受信合否の統計情報の値が特定のレベルより小さい場合に、通信相手の無線通信機に送信フレームが発信される時のみ通常より長いトレーニングシーケンスが付加されており、実施の形態１の無線通信機１と比べて必要以上に冗長なトレーニングシーケンスを付加することによる通信効率の低下を防ぐ事ができ、より高い通信確立を実現する事ができる。」（１５〜１９頁）
　上記引用例の記載及び図面並びにこの分野における技術常識を考慮すると、上記イ．の【０００１】における「本発明は、IEEE 802.11aなどのトレーニングシーケンスが非常に短い無線通信方式に関する。」との記載、上記ニ．の【００８０】における「変形例としての無線通信機１ｊは、・・・アンテナ１３、ＲＦ部１２を経て、受信し、ＡＤコンバータ部２０１によりＡＤ変換され、復調部２０２により復調されて生成されたデジタル情報は、通信相手の無線通信機の統計情報を含む。この統計情報は、無線通信機１ｊが通信相手の無線通信機に対して通信フレームを送信した場合に、当該通信相手の無線通信機により集計されたものであり、正常に受信し復調した通信フレームの数の通信フレームの全数に対する割合を示す合否結果である。」との記載、同ニ．の【００８１】における「繰返回数決定部３０３により決定される値が以下のように異なる。つまり、相手端末情報記憶部２０３に記憶されている通信相手の無線通信機により集計された統計情報を確認し、前記統計情報により示される値が特定のレベルより大きい場合は、通常の最大繰返回数が決定され、前記統計情報により示される値が特定のレベルより小さい又は等しい場合は、通常の最大繰返回数より大きい事前に定められた任意の大きさの最大繰返回数を決定する。」との記載、同ニ．の【００８２】における「繰返回数決定部３０３は、制御部１０１から、統計情報を受け取り、受け取った統計情報により示される値が、特定のレベルより小さい又は等しいことを示す場合には、「１０」より大きい値、例えば、「１５」を最大繰返回数として決定し、受け取った統計情報により示される値が、特定のレベルより大きい場合には、「１０」を最大繰返回数として決定する。」との記載によれば、引用例の無線通信方式は、正常に受信し復調した通信フレームの全数に対する割合を示す合否結果が、特定のレベルより大きい場合は、通常の最大繰返回数「１０」が決定され、合否結果が特定のレベルより小さい又は等しい場合は、通常の最大繰返回数より大きい最大繰返回数「１５」を決定している。
　そうすると、無線通信方式は、（α）正常に受信し復調した通信フレームの全数に対する割合を示す合否結果を判断しているということができる。
　ここで、上記ロ．の【００３６】における「生成されたアナログ信号は、ＲＦ部１２及びアンテナ１３を介して、送信される。（３）生成される通信フレームの構造の一例　生成される通信フレームの構造の一例を図４（ａ）及び（ｂ）に示す。図４（ａ）に示す通信フレーム４０１は、繰返回数リミットレジスタ３０４に記憶されている最大繰返回数が、「１０」である場合のものであり、図４（ｂ）に示す通信フレーム４５１は、繰返回数リミットレジスタ３０４に記憶されている最大繰返回数が、「１５」である場合のものである。」との記載、同ロ．の【００３７】における「通信フレーム４０１は、プリアンブル信号４０２、ＲＡＴＥ等の信号４０３及びデータ４０４から構成される。・・・ショート・シンボルのグループ４１１は、１０個のショート・シンボル４２１、４２２、・・・、４３０を含む。」との記載、同ロ．の【００３８】における「通信フレーム４５１は、プリアンブル信号４５２、ＲＡＴＥ等の信号４５３及びデータ４５４から構成される。・・・ショート・シンボルのグループ４６１は、１５個のショート・シンボル４７１、４７２、・・・、４８５を含む。」との記載、上記ニ．の【００８２】における「繰返回数決定部３０３は、制御部１０１から、統計情報を受け取り、受け取った統計情報により示される値が、特定のレベルより小さい又は等しいことを示す場合には、「１０」より大きい値、例えば、「１５」を最大繰返回数として決定し、受け取った統計情報により示される値が、特定のレベルより大きい場合には、「１０」を最大繰返回数として決定する。」との記載、及び図４によれば、無線通信方式は、正常に受信し復調した通信フレームの全数に対する割合を示す合否結果を判断し、判断された合否結果に基づいて、最大繰返し回数「１０」または「１５」を設定している。そして、繰返し回数「１０」「１５」は、ショート・シンボルの繰返し回数である。
　そうすると、無線通信方式は、（β）判断された合否結果に基づいて、ショート・シンボルの最大繰返し回数を設定しているということができる。
　また、上記ロ．の【００３５】における「ＤＡコンバータ部１０６は、作成された通信フレームに対して、デジタルからアナログへのＤＡ変換を施して、アナログ信号を生成する。」との記載、同ロ．の【００３６】における「生成されたアナログ信号は、ＲＦ部１２及びアンテナ１３を介して、送信される。」との記載によれば、無線通信方式は、通信フレームを送信している。ここで、同ロ．の【００３７】における「通信フレーム４０１は、プリアンブル信号４０２、ＲＡＴＥ等の信号４０３及びデータ４０４から構成される。・・・ショート・シンボルのグループ４１１は、１０個のショート・シンボル４２１、４２２、・・・、４３０を含む。」との記載、同ロ．の【００３８】における「通信フレーム４５１は、プリアンブル信号４５２、ＲＡＴＥ等の信号４５３及びデータ４５４から構成される。・・・ショート・シンボルのグループ４６１は、１５個のショート・シンボル４７１、４７２、・・・、４８５を含む。」との記載、及び図４によれば、前述の通信フレームは、ショート・シンボルおよびデータを含んでいる。
　そうすると、無線通信方式は、（γ）設定された回数だけ繰返されたショート・シンボルおよびデータを含む通信フレームを送信しているということができる。
　また、上記（α）ないし（γ）の処理は、コンピュータが行っていることは技術常識である。
　そして、上記（α）ないし（γ）より、無線通信において、正常に受信し復調した通信フレームの全数に対する割合を示す合否結果を判断し、設定された回数だけ繰返されたショート・シンボルおよびデータを含む通信フレームを送信しているから、引用例には、無線通信のための方法について記載されているということができる。
　したがって、上記引用例には、以下の発明（以下、「引用発明」という。）が記載されているものと認められる。
　「無線通信のための方法であって、コンピュータが、
正常に受信し復調した通信フレームの全数に対する割合を示す合否結果を判断するステップと、
前記判断された合否結果に基づいて、ショート・シンボルの最大繰返し回数を設定するステップと、
前記設定された回数だけ繰返された前記ショート・シンボルおよびデータを含む通信フレームを送信するステップとを含む、
方法。」
（３）対比・判断 
　補正後の発明と引用発明とを対比する。 
ａ．引用発明の「無線通信」は、ワイヤレス通信にほかならないから、「ワイヤレス通信」ということができる。
ｂ．引用発明の「正常に受信し復調した通信フレームの全数に対する割合を示す合否結果」が、通信チャネルのノイズや混信の通信チャネルの特性に依存することは当業者にとり明らかであって、該「合否結果」はその指標となるものであるから、引用発明の「正常に受信し復調した通信フレームの全数に対する割合を示す合否結果」は、補正後の発明の「通信チャネルの特性を識別する情報」に含まれる。
ｃ．引用発明の「ショート・シンボルの最大繰返し回数」と、補正後の発明の「トレーニングシーケンスを反復する回数」とは、後述する相違点を除いて、「特定の信号を繰返す回数」という点で一致する。
ｄ．引用発明の「設定する」は、ショート・シンボルの最大繰返し回数を設定して修正するから、補正後の発明の「修正する」ということができる。
ｅ．引用発明の「通信フレーム」は、物理層におけるパケットといえるから、補正後の発明の「物理パケット」ということができる。
　したがって、補正後の発明と引用発明は、以下の点で一致ないし相違している。
（一致点） 
　「ワイヤレス通信のための方法であって、コンピュータが、
通信チャネルの特性を識別する情報を判断するステップと、
前記判断された情報に基づいて、特定の信号を繰返す回数を修正するステップと、
前記修正された回数だけ繰返された前記特定の信号およびデータ部分を含む物理パケットを送信するステップとを含む、
方法。」
（相違点）
　一致点の「特定の信号を繰返す回数」に関し、
　補正後の発明は、「トレーニングシーケンスを反復する回数」であるのに対し、引用発明は、「ショート・シンボルの最大繰返し回数」である点。
　これに伴って、
　一致点の「繰返された前記特定の信号」に関して、
　補正後の発明は、「反復された前記トレーニングシーケンス」であるのに対し、引用発明は、「繰返された前記ショート・シンボル」である点、
　加えて、
　補正後の発明の「前記トレーニングシーケンスはＳＴＦである」であるのに対し、引用発明は、その様な特定がない点。
　そこで、上記相違点について検討する。
　上記引用例の上記ロ．の【００３７】における「通信フレーム４０１は、プリアンブル信号４０２、ＲＡＴＥ等の信号４０３及びデータ４０４から構成される。プリアンブル信号４０２は、ショート・シンボルのグループ４１１とロング・シンボルのグループ４１２からなり、ショート・シンボルのグループ４１１は、１０個のショート・シンボル４２１、４２２、・・・、４３０を含む。これらのショート・シンボルが、上記のトレーニングシンボルである。プリアンブル信号４０２が、全体として、上記のトレーニングシーケンスである。」との記載、同ロ．の【００３８】における「通信フレーム４５１は、プリアンブル信号４５２、ＲＡＴＥ等の信号４５３及びデータ４５４から構成される。プリアンブル信号４５２は、ショート・シンボルのグループ４６１とロング・シンボルのグループ４６２からなり、ショート・シンボルのグループ４６１は、１５個のショート・シンボル４７１、４７２、・・・、４８５を含む。これらのショート・シンボルが、上記のトレーニングシンボルである。プリアンブル信号４５２が、全体として、上記のトレーニングシーケンスである。」との記載、及び図４によれば、引用発明の「ショート・シンボル」は、１０個のショート・シンボル４２１、４２２、・・・、４３０の場合と、１５個のショート・シンボル４７１、４７２、・・・、４８５との場合があり、これら１０個又は１５個のショート・シンボルが、トレーニングシンボルであり、このトレーニングシンボルと、ロング・シンボルのグループを含む全体がトレーニングシーケンスであるから、１０個又は１５個のショート・シンボルが含まれる領域は、ショートトレーニングフィールド、すなわち、ＳＴＦと称することができることは明らかである。
　してみれば、引用発明の「ショート・シンボルの最大繰返し回数を設定する」ことは、例えば、１０回又は１５回に設定する場合について見れば、ショート・シンボルを繰返す回数を１０回に設定することが、通常のＳＴＦの１回相当であり、ショート・シンボルを繰返す回数を１５回に設定することが、ＳＴＦを１．５回繰返しているということができる。言い換えれば、引用発明の「ショート・シンボルの最大繰返し回数を設定する」ことは、ＳＴＦの繰返し回数を１回又は１．５回に設定するものである。一方、補正後の発明の「トレーニングシーケンスを反復する回数を修正する」ことは、トレーニングシーケンスがＳＴＦであるから、ＳＴＦの反復する回数を１回又は２回・・・に修正するものである。
　そうすると、引用発明のように「ＳＴＦ」の最大繰返し回数を１回又は１．５回に設定するか、補正後の発明のようにＳＴＦの反復する回数を１回又は２回・・・に修正するかは、当業者が同一の信号を繰返して信号レベルを高めようとする程度に応じて適宜定める設計的事項にすぎない。
　したがって、引用発明の「ショート・シンボルの最大繰返し回数」を、補正後の発明のように「トレーニングシーケンスを反復する回数」「前記トレーニングシーケンスはＳＴＦである」とすることは、当業者が適宜なし得る事項である。これに伴って、引用発明の「繰返された前記ショート・シンボル」が、補正後の発明のように「反復された前記トレーニングシーケンス」となることは当然に導かれることである。
　そして、補正後の発明の作用効果も、引用発明から当業者が容易に予測できる範囲のものである。 
　以上のとおり、補正後の発明は引用発明に基づいて容易に発明をすることができたものであるから、特許法第２９条第２項の規定により、特許出願の際独立して特許を受けることができないものである。 
 　 
４．結語 
　したがって、本件補正は、特許法第１７条の２第６項において準用する同法第１２６条第７項の規定に違反するので、同法第１５９条第１項において読み替えて準用する同法第５３条第１項の規定により却下すべきものである。  
 　 
第３　本願発明について 
１．本願発明 
　平成２７年３月２７日付けの手続補正は上記のとおり却下されたので、本願発明は、上記「第２　補正却下の決定　１．本願発明と補正後の発明」の項で「本願発明」として認定したとおりである。 
　 
２．引用発明
　引用発明は、上記「第２　補正却下の決定」の項中の「３．独立特許要件について」の項中の「（２）引用発明」の項で認定したとおりである。 
 　 
３．対比・判断 
　本願発明は上記補正後の発明から本件補正に係る限定を省いたものである。 
　そうすると、本願発明の構成に本件補正に係る限定を付加した補正後の発明が、上記「第２　補正却下の決定」の項中の「３．独立特許要件について」の項で検討したとおり、引用発明に基づいて容易に発明できたものであるから、本願発明も同様の理由により、容易に発明できたものである。 
　 
４．むすび 
　以上のとおり、本願発明は、引用発明に基づいて当業者が容易に発明をすることができたものであるから、特許法第２９条第２項の規定により特許を受けることができない。 
　したがって、本願は、その余の請求項に論及するまでもなく拒絶すべきものである。
　よって、結論のとおり審決する。